(57)【要約】      （修正有）【課題】新鮮な必要量の水道水を断水時を含み常時貯水しておき、必要量を手軽に随所に運搬する。【解決手段】水道ホース９によりタンクの受水口２のキャップの止水栓と水道蛇口１２と、その容器タンクの排水口３のキャップにある止水栓と蛇口のところ１３とを連結させ、水道水が蛇口を出てから一旦タンク内に収容されて満水となった後にこの排水口から流れ出る水が再び蛇口にまで誘導されて放水使用されるようにした。この間水道水が途中の水道ホースやタンクの各部位の接着点において水漏れを生じないように止水パッキンや締め具等を使用することにした。【選択図】図５
0003122441.tif 000002
【実用新案登録請求の範囲】
【請求項１】
キャップ１をつけた受水口２と排水口３を上部にもち液体を容れる容器４および開閉摘み５の操作によりパイプ６の内側水路を開閉する止水弁７をもつ止水栓８と水道ホース９において、
（１）  止水栓８の両端にあるパイプ６にこの水道ホース９を着脱可能にし、キャップ１の内側で受水口２と排水口３とに接着する部分に止水パッキン１０を装着し、また止水栓８のパイプ６や水道蛇口１２に水道ホース９をとりつけるときにこれらの接着部分を密着させる締め具１１を着脱可能にし、
（２）  キャップ１のそれぞれの、外側にこれら止水栓８の開閉摘み５とパイプ６の一端が、また内側にパイプ６の他の一端が位置するように、止水栓８をキャップ１にとりつけ、および受水口２のキャップ１の内側にあるパイプ６に、容器４の底辺部に届く程の長さの水道ホース９をつけ、
（３）  水道蛇口１２からこれら容器４の必要個数を通って蛇口のところ１３に至るまでの間において通水可能となるように、水道蛇口１２とこれらの必要個数の容器４のすべての受水口２と排水口３の止水栓８を水道ホース９と締め具１１で連結し、この水道ホース９の最終端末を蛇口のところ１３に連接固定し、
以上の構成からなる常時と断水時に必要量の新鮮な水道水を貯水している容器。
【考案の詳細な説明】
【発明の詳細な説明】
［技術の分野］
【０００１】  本案は水道栓を開閉することにより蛇口から出る水が貯水用の容器を満たしてからこの蛇口のところで給水できる容器に関する。
【背景技術】
【０００２】
【考案の開示】
【考案が解決しようとする課題】
【０００３】（１）  新鮮な必要量の水道水を常時と断水時でも貯水確保できる対策
（２）  上記水道水の必要量を手軽く随所に運搬できる対策
【課題を解決するための手段】
【０００４】  地震・凍結・事故等の災害による断水時に確保されるべき飲料水は常時使用している水道蛇口から供給される衛生的で新鮮なものが要求される。本案の容器は携帯ポリタンク（以下「タンク」と云う。）を含むものである。従来水道栓を操作して蛇口から出る水を直接またはボール等に収容して使用していたが、これを改めて蛇口から出る水を水道ホースにより、一旦タンクに貯水しておいてから溢れ出る水を蛇口のところまで誘導して使用するという構成にした。【０００５】    このためまずタンクの受水口と排水口のキャップにそれぞれ止水栓をとりつけ、水道ホースにより受水口のキャップの止水栓と水道蛇口と、まだそのタンクの排水口のキャップにある止水栓と蛇口に極近いところとを連結させ連接させておき、水道水が蛇口を出てから一旦タンク内に収容されて満水となった後にこの排水口から流れ出る水が再び蛇口に極近いところまで誘導されて放水使用されるようにした。この間水道水が途中の水道ホースやタンクの各部位の接着点において水漏れを生じないように止水パッキンや締め具等を使用することにした。【０００６】  このタンクを複数設置利用するときは、水道水が複数のタンクの最初のタンクから次のタンクへと順次に、それぞれの受水口から入ってこれを満水にしてからその排水口から流れ出して次のタンクの受水口へ注入されるように、水道ホースで複数のタンクを直列に連結するようにした。従って本案では本来の水道蛇口における水道水の使用を可能にしながら更に、水道栓を開にして使用している間と閉にして使用していない間にあっても、またこれらの間において断水があっても、常時タンクの中には水道水が満水の状態で貯水されているようにした。【０００７】  以上により課題（１）の対策は解決される。またタンクの各止水栓に着脱可能に装着されている水道ホースを取り外すことにより、各タンクは切り離されてそれぞれ個別に手軽く随所に運搬可能の状態となり課題（２）の対策は解決される。
【考案の効果】（１）断水時に必要量の新鮮な水道水が確保できる。
（２）常時貯水しておきながら水道を使用できる。
（３）貯水の必要量を手軽く運べる。
（４）凍結防止のための垂れ流しをやめて水道水の節約ができる。
【産業上の利用可能性】  産業上の生産方法については１８ｌ〜２０ｌ用の携帯ポリタンクの生産企業において本案止水栓をつけたキャップと必要部品を量産し、これを災害緊急対策備品として活用の普及を計ることが望まれる。
【考案を実施するための最良の形態】  容量が１８ｌ〜２０ｌ用の携帯ポリタンクを３〜５個水道蛇口とその蛇口のところの間に直列に水道ホースで連結した構成の形態。
【実施例】（１）  タンク内の水を停滞することなく絶えず循環させて新鮮な水道水を確保しておくため、受水口のキャップの内側にあるパイプにタンクの底辺部まで届く程の長さの水道ホースをとりつけ、受水口から入る水をタンクの底辺部まで誘導してから放水するようにした。
（２）  排水口から蛇口のところに至る水道ホースの端末を、蛇口のところで蛇口と並べて固定保持し、従来の水道の使い勝手と変わらない便利さを保つようにした。
（３）  本案をセットするにあたっては水道蛇口とその周辺の位置関係に配慮する必要があるが、この実施例では容量１８ｌ〜２０ｌ用のタンクの３個から５個を対象とした。Ｎをタンクの数・Ｈを水道ホースの本数・ｌを貯水量・Ｚを連結要領図番号・Ｐをパッキンの数・Ｓを締め具の数とした場合のデータは次のとおりとなる。
Ｎ３・Ｈ７・ｌ５４〜６０・Ｚ５・Ｐ６・Ｓ７
Ｎ４・Ｈ９・ｌ７２〜８０・Ｚ４・Ｐ８・Ｓ９
Ｎ５・Ｈ１１・ｌ９０〜１００・Ｚ３・Ｐ１０・Ｓ１１
【産業上の利用可能性】
【図面の簡単な説明】
【図１】  排水口の止水栓の閉状態における縦割断面を含む要領図
【図２】  受水口の止水栓の開状態における縦割断面を含む要領図
【図３】  タンク５個の連結状態を示す要領図
【図４】  タンク４個の連結状態を示す要領図
【図５】  タンク３個の連結状態を示す要領図
【符号の説明】
１      キャップ                    ８      止水栓
２      受水口                      ９      水道ホース
３      排水口                      １０    止水パッキン
４      容器                        １１    締め具
５      開閉摘み                    １２    水道蛇口
６      パイプ                      １３    蛇口のところ
７      止水弁
【図１】
0003122441.tif 000003
【図２】
0003122441.tif 000004
【図３】
0003122441.tif 000005
【図４】
0003122441.tif 000006
【図５】
0003122441.tif 000007